(57)【要約】【課題】２個のセンサを所望の位置に好適に保持しうるシーリングアダプタを提供する。【解決手段】本発明のセンサ付きシーリングアダプタ１は、上面及び下面にそれぞれ引掛型配線器具との掛着手段が設けられた上面視略円形状のアダプタ本体２と、アダプタ本体２の周縁部に沿うように湾曲し、アダプタ本体２の周縁部近傍に軸着されて水平方向に回動可能となされた一対のアーム６と、各アーム６の先端に取り付けられたセンサ部７とを具備する。アーム６の回動角度を調節することにより、センサ部７をアダプタ本体２から離隔した好適な位置に保持することができる。アーム６を畳み込むと、アーム６とアダプタ本体２とが外周面を略面一に揃えるようにしてアーム６が収納される。【選択図】  図３
2010267544.tif 000002
【特許請求の範囲】
【請求項１】
上面には引掛型配線器具のボディに掛着しうる引掛栓刃が突設される一方、下面には引掛型配線器具のキャップを掛着させうる刃受溝孔が設けられたアダプタ本体と、該アダプタ本体の側方に張り出したアームと、該アームの先端に保持されたセンサとを具備するセンサ付きシーリングアダプタにおいて、
アダプタ本体は上面視略円形状をなし、アームは該アダプタ本体の周縁部に沿う弧状に形成されて、該アームの基端部がアダプタ本体の周縁部近傍に軸心を直立させて軸着され、このアームを水平方向に展開することによってアームの先端に保持されたセンサがアダプタ本体から離隔した位置に保持されることを特徴とするセンサ付きシーリングアダプタ。
【請求項２】
請求項１に記載のセンサ付きシーリングアダプタにおいて、
アダプタ本体の周縁部にはアームの外形に合致する収納部が形成され、該収納部にアームが畳み込まれると、アーム及びアダプタ本体の外周面が略面一に揃うように形成されたことを特徴とするセンサ付きシーリングアダプタ。
【請求項３】
請求項１又は２に記載のセンサ付きシーリングアダプタにおいて、
アダプタ本体の外周長の１／４〜１／２の長さを有する一対のアームが、アダプタ本体の平面中心を挟んで点対称となるように対向配置されたことを特徴とするセンサ付きシーリングアダプタ。
【発明の詳細な説明】
【技術分野】
【０００１】
本発明は、引掛型配線器具を介して天井面等に照明器具等を取り付けるに際し、該引掛型配線器具に介装されるシーリングアダプタであって、特に、人感センサや照度センサ、或いは遠隔制御用の赤外線受光センサ等のいずれかを備え、該センサを照明器具等の側方に張り出して所望の位置及び姿勢で保持できるように構成されたセンサ付きシーリングアダプタに関する。
【背景技術】
【０００２】
天井面等に照明器具を取り付ける際の接続手段として、引掛シーリングや引掛埋込ローゼット等の引掛型配線器具が広く利用されている。これらの引掛型配線器具は、天井面等に予め固定される器具受けとしての「ボディ」と、照明器具側に設けられて該ボディに着脱自在に掛着される「キャップ」との対によって構成される。
【０００３】
この種の引掛型配線器具を利用して設置される照明器具において、ボディとキャップとの間に、例えば人感センサを備えたシーリングアダプタを介装し、該人感センサの検知信号に基づいて照明器具を自動的に点消灯させることにより、任意の照明器具をセンサ制御可能な照明器具として利用する技術が公知である。
【０００４】
この種のセンサ付きシーリングアダプタは、住宅分野にあっては玄関、トイレ、廊下、階段等における照明の点消灯制御手段としてよく利用されている。このような空間で人感センサによる点消灯制御を行う場合は、設置される空間の形態や人の動線に応じて、センサの死角ができないように、その取付位置や検知範囲を適切に設定する必要がある。そこで、例えば、特許文献１には、シーリングアダプタ本体の側方に金属パイプ製のセンサ支持アームを張り出して、センサを照明器具から遠ざけて保持する構成が開示されている。さらに、特許文献２には、照明器具の側方に張り出すセンサ支持アームを伸縮自在とした構成が開示されている。また、特許文献３には、シーリングアダプタ本体を引掛型配線器具の周方向に回動自在に保持するとともに、張り出し部分の先端にセンサを首振り自在に取り付けて、検知範囲の調整を容易にした構成が開示されている。
【先行技術文献】
【特許文献】
【０００５】
【特許文献１】特開平８−１８０９７５号公報
【特許文献２】登録実用新案第３０９５８３５号公報
【特許文献３】特開２００５−２５１６００号公報
【発明の概要】
【発明が解決しようとする課題】
【０００６】
例えば、階段の踊り場付近に設置する照明器具において、前述のようなセンサ付きシーリングアダプタによる点消灯制御を適用しようとすると、階段の上り方向及び下り方向の双方について人感センサの検知範囲を設定する必要がある。この場合、シーリングアダプタは人感センサを２個具備するほうが好ましい。
【０００７】
本発明は、２個のセンサを所望の位置に好適に保持しうるシーリングアダプタを、前記従来例とは異なる構造によって実現するとともに、その利用態様における外観意匠にも独自の特徴を付加したセンサ付きシーリングアダプタを提供することを目的とするものである。
【課題を解決するための手段】
【０００８】
前記の目的を達成するため、本発明は、上面には引掛型配線器具のボディに掛着しうる引掛栓刃が突設される一方、下面には引掛型配線器具のキャップを掛着させうる刃受溝孔が設けられたアダプタ本体と、該アダプタ本体の側方に張り出したアームと、該アームの先端に保持されたセンサとを具備するセンサ付きシーリングアダプタにおいて、アダプタ本体は上面視略円形状をなし、アームは該アダプタ本体の周縁部に沿う弧状に形成されて、該アームの基端部がアダプタ本体の周縁部近傍にに軸心を直立させて軸着され、このアームを水平方向に展開することによってアームの先端に保持されたセンサがアダプタ本体から離隔した位置に保持されることを特徴とする。
【０００９】
さらに、本発明は、前記構成に係るセンサ付きシーリングアダプタにおいて、アダプタ本体の周縁部にはアームの外形に合致する収納部が形成され、該収納部にアームが畳み込まれると、アーム及びアダプタ本体の外周面が略面一に揃うように形成されたことを特徴とする。
【００１０】
さらに、本発明は、前記構成に係るセンサ付きシーリングアダプタにおいて、アダプタ本体の外周長の１／４〜１／２の長さを有する一対のアームが、アダプタ本体の平面中心を挟んで点対称となるように対向配置されたことを特徴とする。
【発明の効果】
【００１１】
上述のように構成される本発明のセンサ付きシーリングアダプタは、先端にセンサを保持するアームが、上面視略円形状をなすアダプタ本体の周縁部に沿う弧状に形成されて、水平方向に回動自在に取り付けられ、このアームを展開するとセンサがアダプタ本体から離隔した位置に保持されるように構成されているから、アームの長さを半径とする回動軌跡内でセンサを任意の位置に保持することができる。照明器具の径が小さい場合はアームの展開角度を小さくし、照明器具の径が大きい場合はアームの展開角度を大きくすることによって、センサを保持する位置を、照明器具の大きさに応じて適切に調整することができる。
【００１２】
また、照明器具の径が小さくてアームを展開する必要がない場合は、アームをアダプタ本体の周縁部に沿わせて収納することにより、アダプタ本体からの突出部位を小さくして外観をコンパクト化することができる。アダプタ本体の薄型化も容易であるから、照明器具の取付位置が天井面から大幅に下がることも防ぎやすい。そのため、比較的、設置スペースの狭いトイレ、階段、踊り場、廊下、玄関などにも容易に設置することができる。弧状に湾曲したアームは、意匠面でも、これを見る者に対してユニークな印象を与えるものとなる。
【００１３】
また、一対のアームを、アダプタ本体の平面中心を挟んで点対称となるように対向配置することにより、２個のセンサの位置関係を最適化することができる。したがって、例えば階段用の照明器具に本発明を実施した場合には、階段の上り方向及び下り方向の双方の動線に対して、人感センサの検知範囲を好適に設定することができる。
【図面の簡単な説明】
【００１４】
【図１】本発明の実施形態に係るセンサ付きシーリングアダプタの見上げ方向（底面側）斜視図であって、アームを収納した状態を示す。
【図２】本発明の実施形態に係るセンサ付きシーリングアダプタの見下ろし方向（上面側）斜視図であって、アームを収納した状態を示す。
【図３】本発明の実施形態に係るセンサ付きシーリングアダプタの見下ろし方向（上面側）斜視図であって、アームを展開した状態を示す。
【図４】本発明の実施形態に係るセンサ付きシーリングアダプタの底面形状とアームの回動範囲を示す底面図である。
【図５】本発明の実施形態に係るセンサ付きシーリングアダプタの使用状態における側面図である。
【図６】本発明の実施形態に係るセンサ付きシーリングアダプタの内部構造を示す分解斜視図である。
【発明を実施するための形態】
【００１５】
以下、本発明の実施の形態について図を参照して説明する。図１〜図６は本発明の実施形態に係るセンサ付きシーリングアダプタ１を示す。内部構造を示した図６においては、図面の煩雑化を防ぐため、配線コード類の表現を省略している。
【００１６】
例示したセンサ付きシーリングアダプタ１は、上面視略円形状のアダプタ本体２を具備する。アダプタ本体２は、下向きに膨湾した略皿状の下カバー３と、中央部分に略円錐台形状の段部４１を有する略ハット状の上カバー４とを重ね合わせた外観形状をなしている。それら下カバー３と上カバー４とによって囲まれる内部空間には、通電制御ユニット５が組み込まれる。
【００１７】
通電制御ユニット５は、一般的な角型引掛シーリング（ボディ及びキャップ）の大きさに準じた角柱体５１の上面に、略円板状の組付プレート５２を設けた形状をなしている。角柱体５１の底面には引掛栓刃を掛着させうる一対の刃受溝孔５３が形成されており、この底面部分が、下カバー３の中央に形成された矩形の開口部３１内に嵌挿されている。これにより、各種照明器具Ｌ（図５）側に設けられる引掛型配線器具（通常は角型引掛シーリング）のキャップＣを掛着させうる配線接続手段が、アダプタ本体２の下面に露出した状態で設けられる。
【００１８】
一方、通電制御ユニット５の上面に設けられた組付プレート５２には、一対の引掛栓刃５４が上向きに取り付けられており、この組付プレート５２が上カバー４の内側に装着される。上カバー４の中央には、上向きに開口する上面視略矩形の凹部４２が形成されており、この凹部４２の隅部に形成された組付用孔部４３（図６）を通じて、引掛栓刃５４が上カバー４の上面に突出する。これにより、天井面Ｔ（図５）等に設けられる一般的な引掛型配線器具（角型引掛シーリングや引掛埋込ローゼット等）のボディＢに掛着可能な配線接続手段が、アダプタ本体２の上面に設けられる。組付プレート５２と上カバー４の間には、引掛型配線器具に掛着した後の脱落を防ぐロック部材５５が、上向きに付勢突出する状態で装着される。このロック部材５５は、一般的な角型引掛シーリングのキャップに設けられているものと同様に、上カバー４の側方に突出したロック解除ボタン５６を押し込むことによって解除される。
【００１９】
通電制御ユニット５の内部には、上面側及び下面側の配線接続手段を電気的に接続するとともに、後述するセンサの検知結果に応じて所望の制御を実行する適宜の制御回路が組み込まれる。なお、本発明において、アダプタ本体２の詳細な内部構造は、特に例示のような形態に限定されるものではなく、少なくとも上面及び下面に、一般的な引掛型配線器具との接続手段を備えるものであればよい。
【００２０】
本発明の要部は、アダプタ本体２に付設されて、その先端にセンサを保持するアーム６の形状と保持機構にある。例示形態にあっては、アダプタ本体２の平面中心を挟んで上面視点対称となるように、一対のアーム６が対向配置されている。
【００２１】
各アーム６は、略一定の厚みと幅とをもって水平方向に延びた部材であって、その平面形状は、アダプタ本体２の周縁部に沿うように弧状に湾曲している。詳細には、アーム６の外縁側の曲率がアダプタ本体２の外周縁の曲率に合致している。また、アーム６の内縁側の曲率が、下カバー３に形成された略円錐台形状の段部４１における底部周縁の曲率に合致している。アーム６の長さは、アダプタ本体２の外周長の１／３程度に及んでいる。
【００２２】
アーム６の一端には略円筒状の基端部６１が形成されており、この基端部６１が軸心を直立させた姿勢で、下カバー３の内側に設けられた軸受け部３２（図６）に軸着されている。上カバー４には、略円錐台形状の段部４１の外側に張り出す平坦なフランジ４５が、周方向に沿って形成されている。フランジ４５はアーム６の長さと同程度の範囲にわたって延設されており、このフランジ４５の上面がアーム６の収納部を構成する。アーム６は、不使用時には図２に示すように、該フランジ４５の上面に重なる状態で畳み込まれ、必要に応じて図３に示すように、アダプタ本体２の外方へ約９０度まで回動する。アーム６を畳み込んだ状態では、アーム６とアダプタ本体２の外周面とが略面一に揃うようになっている。
【００２３】
上カバー４における両フランジ４５の間には、フランジ４５よりも高い位置から外方に張り出す庇状部４６が、周方向に沿って、かつ周方向に若干の傾斜をもって形成されており、該庇状部４６の一部がアーム６の基端部６１の上面を覆う。また、庇状部４６に突合される下カバー３の周壁部分は、庇状部４６の高さまで立ち上げられている。
【００２４】
アーム６の他端は外方に屈曲して、その先端にセンサ部７が設けられている。センサ部７は、例えば略円筒形状ないし略円錐台形状をなし、その底面の法線をやや外方に向けて取り付けられている。センサ部７の底面には、赤外線検知式の人感センサ７１が取り付けられている。人感センサ７１は、その検知方向を必要に応じて調整しうるよう、センサ部７の底面の法線を中心にして各方向に概ね４５度程度、首振り可能に取り付けられる。通電制御ユニット５を通じて照明器具Ｌ等に供給される電源は、この人感センサ７１の検知信号に基づいて入切される。さらに、アダプタ本体２の側面には、人感センサ７１の検知信号に基づいて照明器具Ｌを点灯させる場合の点灯時間を調節するダイヤル摘み７２が設けられている。
【００２５】
また、いずれか一方のアーム６に保持されたセンサ部７には、周囲の明るさを検知する照度センサ（図示省略）も取り付けられている。この照度センサによって検知される周囲の明るさが設定値を下回ると、前記人感センサ７１による制御モードが作動する。さらに、アダプタ本体２の側面には、人感センサ７１による制御モードが作動する明るさを、［明るい／暗い／テスト］の３段階に設定する切替スイッチ７３が設けられている。テストモードでは照度センサによる検知が無効になり、このモードで人感センサ７１の検知範囲の調整等を行う。
【００２６】
本発明のセンサ付きシーリングアダプタ１は上述のように構成されているので、天井面Ｔ等に設置された引掛型配線器具に、本発明のセンサ付きシーリングアダプタ１を介して、任意の照明器具を簡単に取り付けることができる。そして、アダプタ本体２に取り付けた可動式のアーム６を水平方向に展開することにより、アーム６の先端に保持された各種センサを、アダプタ本体２から離隔した位置に保持することができる。アーム６の展開角度を調節可能とすることにより、照明器具の形状や設置場所の空間形態等に応じて、センサの位置を好適に設定することができる。
【００２７】
アーム６の長さをアダプタ本体２の外周長の概ね１／４〜１／２の範囲にすれば、アダプタ本体２の中心を挟んで２本のアーム６を対称的に取り付け、２個のセンサを照明器具を挟む対向位置に保持することができる。このような構成を採用することにより、例えば廊下や階段の照明器具においても、双方向の動線に対して人感センサ７１の検知範囲を好適に設定することができる。
【００２８】
一対のアーム６は、それぞれ独立して任意の角度に展開できるように構成されてもよいし、両アーム６が連動して同じ角度で展開するように構成されてもよい。また、例えばアーム６の基端部６１や軸受け部３２の周りに、アーム６を所望の角度で固定する適宜のストッパ等を設けてもよい。また、アダプタ本体２に設ける引掛型配線器具との接続手段の向きと、アーム６の保持位置とを、周方向に回動させて互いにずらせるようにしてもよい。
【００２９】
なお、本発明のセンサ付きシーリングアダプタ１は、照明器具だけでなく、他の電気設備機器等にも利用可能である。また、センサの種類としても、人感センサ７１や照度センサ以外に、例えば遠隔制御用の赤外線受光センサや音感センサなどを、器具の設置場所や設置目的に応じて選択し、或いは併用して利用することができる。
【符号の説明】
【００３０】
１  センサ付きシーリングアダプタ
２  アダプタ本体
４５  フランジ（収納部）
５３  刃受溝孔
５４  引掛栓刃
６  アーム
６１  基端部
７  センサ部
Ｂ  ボディ
Ｃ  キャップ
【図１】
2010267544.tif 000003
【図２】
2010267544.tif 000004
【図３】
2010267544.tif 000005
【図４】
2010267544.tif 000006
【図５】
2010267544.tif 000007
【図６】
2010267544.tif 000008